(57)【要約】【課題】簡易な構成で基板ケースを開封したという不正行為の痕跡を確実に残すことができる遊技機を提供する。【解決手段】基板２２を収容した基板ケース２３が取り付けられた遊技機であって、基板ケース２３は、第１ケース体３６と、第２ケース体３７と、が結合されて構成され、第１ケース体３６は、第１シール貼付部３８を有し、第２ケース体３７は、第２シール貼付部３９を有し、第１ケース体３６と第２ケース体３７とが結合された状態で、第１シール貼付部３８と第２シール貼付部３９とに跨って封印シール４０が貼り付けられ、封印シール４０は、応力が付与されたときに応力が所定の部位で局所的に大きくなる応力集中部１００を備えたことを特徴とする。【選択図】      図１４
2012035051.tif 000002
【特許請求の範囲】
【請求項１】
基板を収容した基板ケースが取り付けられた遊技機であって、
前記基板ケースは、第１ケース体と、第２ケース体と、が結合されて構成され、
前記第１ケース体は、第１シール貼付部を有し、
前記第２ケース体は、第２シール貼付部を有し、
前記第１ケース体と前記第２ケース体とが結合された状態で、前記第１シール貼付部と前記第２シール貼付部とに跨って封印シールが貼り付けられ、
前記封印シールは、応力が付与されたときに前記応力が所定の部位で局所的に大きくなる応力集中部を備えたことを特徴とする遊技機。
【請求項２】
前記応力集中部は、貫通孔であることを特徴とする請求項１に記載の遊技機。
【請求項３】
前記応力集中部は、前記封印シールの外縁に形成された凸凹部であることを特徴とする請求項１に記載の遊技機。
【請求項４】
前記封印シールは、前記応力集中部に連続して形成され前記応力集中部に作用した応力を当該応力集中部以外の部位に伝達させるための応力伝達部を有することを特徴とする請求項１乃至３のいずれか１項に記載の遊技機。
【請求項５】
前記応力伝達部は、前記封印シールの強度を所定の部位で局所的に低下させるための低強度部であることを特徴とする請求項４に記載の遊技機。
【請求項６】
前記応力伝達部は、前記封印シールの所定の部位を局所的に薄肉にした薄肉部であることを特徴とする請求項４に記載の遊技機。
【請求項７】
前記応力伝達部は、前記封印シールに形成されたミシン目部であることを特徴とする請求項４に記載の遊技機。
【請求項８】
前記封印シールは、ＩＣタグシールであり、
前記ＩＣタグシールは、
粘着シートと、
前記粘着シートに埋め込まれたＩＣチップと、
前記粘着シートに埋め込まれ、読取機からの磁場を受けたときの電磁誘導作用に伴う起電力を前記ＩＣチップに供給するアンテナと、
を有することを特徴とする請求項１乃至７のいずれか１項に記載の遊技機。
【請求項９】
前記基板は、遊技の進行を統括的に制御する主制御基板であり、
前記基板ケースは、前記主制御基板を収容する主制御基板ケースであることを特徴とする請求項１乃至８のいずれか１項に記載の遊技機。
【発明の詳細な説明】
【技術分野】
【０００１】
本発明は、例えば、パチンコ機やスロットマシンなどの遊技機に関する。
【背景技術】
【０００２】
近年のパチンコ機では、基板ケース内の制御基板に対する不正行為を防止するために、基板ケース内に制御基板を収容した後、その基板ケースを封止手段で封止し、またＩＣタグシールを貼付して封印するようにしている（特許文献１参照）。
【０００３】
すなわち、基板ケースは第１ケース体と第２ケース体とを開閉可能に結合して構成されており、その基板ケース内に制御基板を収容した後、開封時に痕跡が残る封止手段により両ケース体を封止する。検査等で基板ケースを開放する際には、この封止手段を切断する等して開封するようにし、基板ケースを開放すれば、封止手段に開封の痕跡が残るようにしている。
【０００４】
また、封止手段とは別に、両ケース体にシール貼付部を設け、当該パチンコ機の機種、制御基板の製造番号等の管理情報が記録されたＩＣタグシールを両シール貼付部に跨がって貼付している。そして、メーカー内での製造工程又は遊技ホール等において、読取機を使用すれば、必要に応じてＩＣタグシールに記録された管理情報を容易に読み取れるようにしている。
【先行技術文献】
【特許文献】
【０００５】
【特許文献１】特開２００９−１１７１６号公報
【発明の概要】
【発明が解決しようとする課題】
【０００６】
ところが、薬剤を用いて、ＩＣタグシールが剥がされている不正行為が判明している。すなわち、薬剤によってＩＣタグシールをきれいに剥がし、基板ケース内の制御基板に対する不正行為を行った後、ＩＣタグシールをドライヤーなどにより乾かして、乾燥させたＩＣタグシールを、再度、貼り付けるという不正行為が行われている。このような不正行為が行われると、ＩＣチップとアンテナが破損せず、また、ＩＣタグシールの粘着シートも破断しないため、ＩＣタグシールに基板ケースを開封した痕跡を残すことができない問題がある。
【０００７】
なお、上記薬剤を用いた場合でも、薬剤がＩＣタグシールのＩＣチップとアンテナに悪影響を及ぼすことがないため、やはりＩＣタグシールに基板ケースを開封した痕跡を残すことができない。
【０００８】
そこで、本発明は、上記問題点に鑑み、簡易な構成で、基板ケースを開封したという不正行為の痕跡を確実に残すことができる遊技機を提供することを目的とする。  
【課題を解決するための手段】
【０００９】
本発明は、基板を収容した基板ケースが取り付けられた遊技機であって、前記基板ケースは、第１ケース体と、第２ケース体と、が結合されて構成され、前記第１ケース体は、第１シール貼付部を有し、前記第２ケース体は、第２シール貼付部を有し、前記第１ケース体と前記第２ケース体とが結合された状態で、前記第１シール貼付部と前記第２シール貼付部とに跨って封印シールが貼り付けられ、前記封印シールは、応力が付与されたときに前記応力が所定の部位で局所的に大きくなる応力集中部を備えたことを特徴とする。
【００１０】
前記応力集中部は、貫通孔（開口孔）であることが好ましい。
【００１１】
前記応力集中部は、前記封印シールの外縁に形成された凸凹部であることが好ましい。
【００１２】
前記封印シールは、前記応力集中部に連続して形成され前記応力集中部に作用した応力を当該応力集中部以外の部位に伝達させるための応力伝達部を有することが好ましい。
【００１３】
前記応力伝達部は、前記封印シールの強度を所定の部位で局所的に低下させるための低強度部であることが好ましい。
【００１４】
前記応力伝達部は、前記封印シールの所定の部位を局所的に薄肉にした薄肉部であることが好ましい。
【００１５】
前記応力伝達部は、前記封印シールに形成されたミシン目部であることが好ましい。
【００１６】
前記封印シールは、ＩＣタグシールであり、前記ＩＣタグシールは、粘着シートと、前記粘着シートに埋め込まれたＩＣチップと、前記粘着シートに埋め込まれ、読取機からの磁場を受けたときの電磁誘導作用に伴う起電力を前記ＩＣチップに供給するアンテナと、を有することが好ましい。
【００１７】
前記基板は、遊技の進行を統括的に制御する主制御基板であり、前記基板ケースは、前記主制御基板を収容する主制御基板ケースであることが好ましい。
【発明の効果】
【００１８】
本発明によれば、簡易な構成で、基板ケースを開封したという不正行為の痕跡を確実に残すことができる。
【図面の簡単な説明】
【００１９】
【図１】本発明の第１実施形態を示すパチンコ機の正面図である。
【図２】本発明の第１実施形態を示すパチンコ機の遊技盤の背面図である。
【図３】本発明の第１実施形態を示すパチンコ機の集球ケース、主制御基板ケースの分解斜視図である。
【図４】本発明の第１実施形態を示すパチンコ機の主制御基板ケースの背面図である。
【図５】図４のＡ−Ａ矢視拡大断面図である。
【図６】本発明の第１実施形態を示すパチンコ機の主制御基板ケースの裏面側斜視図である。
【図７】本発明の第１実施形態を示すパチンコ機の主制御基板ケースの一要部の裏面側分解斜視図である。
【図８】本発明の第１実施形態を示すパチンコ機の主制御基板ケースの前面側斜視図である。
【図９】本発明の第１実施形態を示すパチンコ機の主制御基板ケースの一要部の前面側分解斜視図である。
【図１０】本発明の第１実施形態を示すパチンコ機の主制御基板ケースの一要部の拡大断面図である。
【図１１】本発明の第１実施形態を示すパチンコ機のタグカバーの装着方法の説明図である。
【図１２】本発明の第１実施形態を示すパチンコ機の主制御基板ケースの変形例の一要部の拡大断面図である。
【図１３】本発明の第１実施形態を示すパチンコ機の主制御基板ケースの変形例の一要部の底面図である。
【図１４】本発明の第１実施形態を示すパチンコ機の主制御基板ケースに貼り付けられるＩＣタグシールの一例を示した説明図である。
【図１５】本発明の第１実施形態を示すパチンコ機の主制御基板ケースに貼り付けられるＩＣタグシールの一例を示した説明図である。
【図１６】本発明の第１実施形態を示すパチンコ機の主制御基板ケースに貼り付けられるＩＣタグシールの一例を示した説明図である。
【図１７】本発明の第１実施形態を示すパチンコ機の主制御基板ケースに貼り付けられるＩＣタグシールの一例を示した説明図である。
【図１８】本発明の第１実施形態を示すパチンコ機の主制御基板ケースに貼り付けられるＩＣタグシールの一例を示した説明図である。
【図１９】本発明の第１実施形態を示すパチンコ機の主制御基板ケースに貼り付けられるＩＣタグシールの一例を示した説明図である。
【図２０】本発明の第１実施形態を示すパチンコ機の主制御基板ケースに貼り付けられるＩＣタグシールの一例を示した説明図である。
【図２１】本発明の第１実施形態を示すパチンコ機の主制御基板ケースに貼り付けられるＩＣタグシールの一例を示した説明図である。
【図２２】本発明の第１実施形態を示すパチンコ機の主制御基板ケースに貼り付けられるＩＣタグシールの一例を示した説明図である。
【発明を実施するための形態】
【００２０】
本発明の第１実施形態に係るパチンコ機について、図面を参照して説明する。本実施形態は、本発明をパチンコ機に適用した一例である。
【００２１】
図１に示すように、遊技機本体１は、矩形状の外枠２と、この外枠２の前側に開閉自在に枢着された前枠３と、を備えている。前枠３は、左端側の上下一対のヒンジ４を介して外枠２に対して着脱及び開閉自在に装着されている。
【００２２】
前枠３の上部側には、遊技盤５が前側から着脱自在に装着される。遊技盤５の前側には、ガラス扉６が配置されている。また、ガラス扉６の下側には、前面開閉板７が配置されている。ガラス扉６、前面開閉板７は、ヒンジ４と同一側のヒンジ（図示省略）により、前枠３に開閉自在に枢支されている。前面開閉板７には、発射用の遊技球を貯留する貯留皿８と、発射手段（図示省略）を作動させるための発射ハンドル９と、が設けられている。
【００２３】
なお、発射手段は、発射ハンドル９を操作したときに貯留皿８から供給される遊技球を遊技盤５側へ発射する。
【００２４】
遊技盤５の前側には、発射手段により発射された遊技球を案内するガイドレール１０が環状に装着されている。また、ガイドレール１０内の遊技領域１２には、画像表示手段１３を備えたセンターケース１４、通過ゲート１５、開閉式入賞手段１６、大入賞手段１７、普通入賞手段１８等の各種遊技部品が装着されている。
【００２５】
遊技盤５の裏側には、図２に示すように、センターケース１４等の遊技部品を後側から覆う裏カバー２０と集球ケース２１とが上下に配置されている。例えば、集球ケース２１の背面側に、主制御基板２２が格納された主制御基板ケース２３が着脱自在に装着されている。また、裏カバー２０の背面側に、演出制御基板２４が格納された演出制御基板ケース２５と、画像制御基板２６が格納された画像制御基板ケース２７と、が着脱自在に装着されている。
【００２６】
なお、主制御基板２２は、ゲーム中の全体の遊技動作を統括的に制御する。また、画像制御基板２６は、画像表示手段１３に表示される画像を制御する。また、演出制御基板２４は、画像表示手段１３の周辺に配置された可動演出手段（図示省略）の演出動作、遊技盤５側その他の演出ランプの演出発光、スピーカの効果音等を制御する。
【００２７】
集球ケース２１は、開閉式入賞手段１６、大入賞手段１７、普通入賞手段１８等に入賞して遊技盤５の裏側に案内された遊技球を集めて排出口２８から回収通路（図示省略）側へと案内するためのものである。集球ケース２１は、裏カバー２０の下側に近接して配置され、遊技盤５の裏側に着脱自在に固定されている。
【００２８】
集球ケース２１の背面側の略中央には、例えば図２、図３に示すように、主制御基板ケース２３を着脱自在に装着可能な主制御基板ケース装着部３０が設けられている。また、この主制御基板ケース装着部３０の一側に、前枠３側の枠側ジョイント部（図示省略）に対応する盤側ジョイント部３１が設けられている。盤側ジョイント部３１は、上下方向に複数個の盤側コネクタ３２と、この各盤側コネクタ３２に対応する複数個の中継コネクタ３３と、この盤側コネクタ３２及び中継コネクタ３３間に配置されたハーネスカバー３４と、を備えている。遊技盤５を前枠３側に装着したときに、盤側コネクタ３２が枠側ジョイント部の各枠側コネクタ（図示省略）に着脱自在に接続する。
【００２９】
主制御基板ケース２３は、全体として扁平な略矩形状であり、図３〜図５に示すように、例えば透明な合成樹脂製の第１ケース体３６と第２ケース体３７とを開閉可能に結合して構成されている。そして、主制御基板ケース２３の外周側の一辺、例えば左右方向の一端側で且つ盤側ジョイント部３１と反対側には、両ケース体３６，３７に跨がる封止手段３５が上下方向に複数個設けられる。また、主制御基板ケース２３の外周側の他の一辺、例えば下辺側には、両ケース体３６，３７のシール貼付部３８，３９に跨がってＩＣタグシール４０が貼り付けられている。さらに、ＩＣタグシール４０は、タグカバー４１により保護されている。
【００３０】
ＩＣタグシール４０は、図３に示すように、小さいＩＣチップ４２と、読取機からの磁場を受けたときの電磁誘導作用による起電力をＩＣチップ４２に供給するアンテナ４３と、を粘着シート４４に埋め込んで構成されている。ＩＣチップ４２には、当該パチンコ機の機種、制御基板の製造番号等の管理情報が記録されている。
【００３１】
図１４及び図１５に示すように、ＩＣタグシール４０は、せん断応力が付与されたときに前記せん断応力が所定の部位で局所的に大きくなる応力集中部１００を備えている。この応力集中部１００とは、両ケース体３６，３７のシール貼付部３８，３９に跨がって貼り付けられたＩＣタグシール４０を剥がすときに、ＩＣタグシール４０にせん断応力が作用するが、このせん断応力が他の部位と比較して大きくなる部位を意味する。
【００３２】
図１４及び図１５に示すように、応力集中部１００の一例として、ＩＣタグシール４０の粘着シート４４に形成された貫通孔１０１が挙げられる。粘着シート４４を厚み方向に貫通している孔であれば、丸孔や角孔など孔の形状は問わない。ＩＣタグシール４０の粘着シート４４には、径や大きさの異なる複数の貫通孔１０１が形成されていることが好ましい。また、角孔は、三角形、四角形などの角形状のものが好ましい。さらに、貫通孔１０１に限られず、粘着シート４４の表面に形成された凹部（図示省略）でもよい。
【００３３】
ＩＣタグシール４０にせん断応力が作用すると、ＩＣタグシール４０の粘着シート４４に形成された貫通孔１０１の開口縁にせん断応力が集中する。貫通孔１０１の開口縁に作用したせん断応力は、他の部位に作用するせん断応力よりも大きくなる。これにより、ＩＣタグシール４０を剥がそうとしたときには、貫通孔１０１の内縁でせん断応力が局所的に大きくなるため、貫通孔１０１の内縁から破断し始める。この結果、ＩＣタグシール４０が破断し易くなるため、ＩＣタグシール４０を剥がそうとした痕跡をＩＣタグシール４０に確実に残すことができる。
【００３４】
特に、貫通孔１０１として角孔を採用する場合には、角孔の角部で応力集中が著しく大きくなるため、ＩＣタグシール４０が一層破断し易くなる。
【００３５】
図１６に示すように、応力集中部１００の他の例として、ＩＣタグシール４０の粘着シート４４の外縁に形成された凸凹部１０２が挙げられる。凸凹部１０２として、例えば、外縁に形成された鋭角状にギザギザ部である。
【００３６】
ＩＣタグシール４０にせん断応力が作用すると、ＩＣタグシール４０の粘着シート４４の外縁の凸凹部１０２にせん断応力が集中する。凸凹部１０２に作用したせん断応力は、ＩＣタグシール４０の他の部位に作用するせん断応力よりも大きくなる。これにより、ＩＣタグシール４０を剥がそうとしたときには、凸凹部１０２でせん断応力が局所的に大きくなるため、凸凹部１０２から破断し始める。この結果、ＩＣタグシール４０が破断し易くなるため、ＩＣタグシール４０を剥がそうとした痕跡をＩＣタグシール４０に確実に残すことができる。
【００３７】
さらに、図１７及び図１８に示すように、ＩＣタグシール４０は、応力集中部１００として、貫通孔１０１及び凸凹部１０２の両方が形成されている構成でもよい。
【００３８】
また、図１９及び図２０に示すように、ＩＣタグシール４０は、応力集中部１００に連続して形成され応力集中部１００に作用した応力を当該応力集中部１００以外の部位に伝達させるための応力伝達部１０３を備えていることが好ましい。
【００３９】
応力伝達部１０３は、ＩＣタグシール４０の強度を所定の部位で局所的に低下させるための低強度部で構成される。低強度部は、例えば、粘着シート４４の一部に低強度の材質を採用するようにして構成される。また、応力伝達部１０３は、ＩＣタグシール４０の所定の部位を局所的に薄肉にした薄肉部で構成される。
【００４０】
具体的には、図１９、図２０、図２１及び図２２に示すように、応力伝達部１０３は、応力集中部１００に連続して形成されたミシン目部１０４であることが好ましい。
【００４１】
ここで、応力伝達部１０３であるミシン目部１０４は、ＩＣタグシール４０の粘着シート４４の全領域にわたって形成されていることが好ましい。特に、応力伝達部１０３であるミシン目部１０４は、ＩＣタグシール４０の粘着シート４４の全領域にわたって網目状又は放射状に形成されていることが好ましい。
【００４２】
ＩＣタグシール４０は、応力集中部１００である貫通孔１０１及び凸凹部１０２に連続して形成された応力伝達部１０３のミシン目部１０４を備えているため、応力集中部１００である貫通孔１０１及び凸凹部１０２に集中したせん断応力が応力伝達部１０３であるミシン目部１０４を介して、ＩＣタグシール４０の粘着シート４４の全領域に伝達する。これにより、ＩＣタグシール４０の粘着シート４４の全領域を破断し易くすることができる。
【００４３】
特に、応力伝達部１０３であるミシン目部１０４がＩＣタグシール４０の粘着シート４４の全領域にわたって放射状に形成されていれば、ＩＣタグシール４０が剥がされたときのせん断応力は、ＩＣタグシール４０の全領域に伝達する。これにより、ＩＣタグシール４０には複数の亀裂が入り、ＩＣタグシール４０を粉々に破断させることができる。この結果、ＩＣタグシール４０に不正行為の痕跡を確実に残すことができる。
【００４４】
なお、ミシン目部１０４は、隣接する貫通孔１０１同士を接続するように構成しても良いし、貫通孔１０１と凸凹部１０２とを接続するように構成しても良い。また、ミシン目部１０４は、貫通孔１０１と粘着シート４４の外縁、あるいは凸凹部１０２と粘着シート４４の外縁を接続するように構成しても良い。さらには、ミシン目部１０４同士を交差させるようにしてもよい。
【００４５】
主制御基板２２にはその一面側にＣＰＵ，ＲＯＭ，ＲＡＭ等の電子部品４５が配置されると共に、盤側ジョイント部３１に近い側と、上下の二辺に１個又は複数個のコネクタ４６〜４８が装着されている。
【００４６】
第２ケース体３７は、図３〜図７等に示すように、主制御基板２２の電子部品４５に対向する主膨出部４９と、主制御基板２２の各コネクタ４６〜４８側に対応して形成された段部５０〜５２と、この段部５０〜５２よりも第１ケース体３６側に突出する嵌合周壁部５３と、を有している。主制御基板２２は、その外縁部が各段部５０〜５２の内側に当接するように、第２ケース体３７内に固定されている。各段部５０〜５２には、その開口から主制御基板２２のコネクタ４６〜４８が後方に突出している。
【００４７】
第１ケース体３６は、図３〜図５、図８、図９に示すように、偏平な底板５７と、この底板５７の外周から第２ケース体３７側に突出し且つ第２ケース体３７の嵌合周壁部５３が嵌脱自在に内嵌する嵌合周壁部５８と、が設けられている。そして、第１ケース体３６と第２ケース体３７は、両嵌合周壁部５３，５８が嵌合した状態でその上下両側（幅方向の両側）の側部係合手段５９と、封止手段３５と反対側の端部係合手段６０と、により閉状態に結合される。そして、第１ケース体３６と第２ケース体３７の結合状態は、封止手段３５及びＩＣタグシール４０により封印されている。
【００４８】
側部係合手段５９は、図７〜図９に示すように、第２ケース体３７の嵌合周壁部５３の上下二辺に外方に突出して左右方向に所定間隔を置いて設けられた複数個の係合爪６１と、第１ケース体３６の嵌合周壁部５８の上下の二辺に各係合爪６１に対応して形成された複数個の切り欠き部６２と、各係合爪６１が各切り欠き部６２に入った状態で両ケース体３６，３７を左右方向に相対摺動させたときに各係合爪６１が係脱自在に係合する複数個の係合部６３と、を有する。
【００４９】
端部係合手段６０は、図６、図８に示すように、第２ケース体３７の嵌合周壁部５３に設けられた係合突起６５と、第１ケース体３６の嵌合周壁部５８に設けられ且つ両ケース体３６，３７を左右方向に相対摺動させたときに係合突起６５が係脱自在に係合する係合孔６６と、を有する。封止手段３５は、第２ケース体３７側のピン保持部内に保持された封止ピンを押し込んだときに、その封止ピンが第１ケース体３６側のピン嵌合部に嵌合して両ケース体３６，３７を封止し、開封時には封止手段３５の所定箇所を切断して両ケース体３６，３７の封止を解除するようになっている。
【００５０】
なお、第１ケース体３６の上下の二辺には、図３、図６に示すように、嵌合周壁部５８との間に第２ケース体３７の嵌合周壁部５３の嵌合代を置いて左右方向に内壁６７が設けられ、側部係合手段５９に生じる隙間を内側から塞いでいる。
【００５１】
第２ケース体３７の下辺には、図５、図７に示すように、段部５１，５２の長手方向の中央よりも中継コネクタ３３に近い側に副膨出部７０が設けられている。そして、この副膨出部７０に対応して、両ケース体３６，３７にシール貼付部３８，３９が設けられている。
【００５２】
すなわち、両ケース体３６，３７は、図５、図７、図９に示すように、副膨出部７０側で前後に相対向する第１対向壁７１と第２対向壁７２とを有する。第１ケース体３６には、その第１対向壁７１から下側に周壁部５８ａに跨がって第１シール貼付部３８が設けられる。また、第２ケース体３７には、副膨出部７０の下側の周壁部５３ａに第２シール貼付部３９が第１シール貼付部３８に連続して設けられている。そして、図５、図９に示すように、両シール貼付部３８，３９に跨がってＩＣタグシール４０が貼付される。また、シール貼付部３８，３９のＩＣタグシール４０は、その外周の略全周を取り囲む保護リブ７３，７４により外周側から保護されている。
【００５３】
なお、周壁部５３ａ，５８ａは、嵌合周壁部５３，５８の一部に設けられており、相対向する端面が当接している。また、保護リブ７３，７４は、第１ケース体３６の主制御基板２２と反対側（前面側）に縦横に形成された補強リブ７５と略同高さとなっている。
【００５４】
タグカバー４１は、透明な合成樹脂製であり、図３〜図１０に示すように、第１対向壁７１から下側の周壁部５３ａ，５８ａを経て第２対向壁７２に跨がるコ字状又はＵ字状に屈曲形成されている。このタグカバー４１は、屈曲方向の両端の第１係合手段７７及び第２係合手段７８により、各対向壁７１，７２に着脱自在に係合される、また、タグカバー４１には、主制御基板ケース２３の下辺側に左右方向に配置されるハーネス７９を主制御基板ケース２３の裏面形状に沿って保持するための第１ハーネス保持部８０と第２ハーネス保持部８１とが設けられている。
【００５５】
すなわち、タグカバー４１は、図３〜図１０に示すように、第１対向壁７１側の第１シール貼付部３８に対応する第１覆い部８３と、第１覆い部８３の下端からＬ字状に屈曲し且つ周壁部５３ａ，５８ａ側の第１及び第２シール貼付部３８，３９に対応する第２覆い部８４と、第２覆い部８４の後端から上側に屈曲し且つ第２対向壁７２に当接するハーネス支持部８５と、を一体に備えている。ハーネス支持部８５は、副膨出部７０を裏側から覆う第１支持部８５ａと、この第１支持部８５ａの一側に側壁８５ｂを介して一体に形成され且つ段部５２の裏側に当接する第２支持部８５ｃと、を備えている。
【００５６】
第１覆い部８３及び第２覆い部８４は、図８に示すように、その幅方向の両側の保護リブ７３，７４間に嵌合する幅を有する板状のものであり、ＩＣタグシール４０に僅かの間隔を置いて近接するように各シール貼付部３８，３９に略平行に設けられている。なお、第１覆い部８３と第２覆い部８４との屈曲部分の幅方向の両側には、着脱時に両者間でタグカバー４１が弾性変形し易くなるように切り欠き部８６が形成されているが、各覆い部８３，８４が容易に弾性変形できる程度の幅、厚さ等であれば、この切り欠き部８６を省いてもよい。
【００５７】
ハーネス支持部８５の第１支持部８５ａは、副膨出部７０を裏側から覆うようにその形状に沿った形状となっている。また、第２支持部８５ｃは、第１支持部８５ａの一側に段部５２に当接するように低く形成されている。第１ハーネス保持部８０は、第１支持部８５ａの裏面に後方に突出して設けられている。第２ハーネス保持部８１は、第２支持部８５ｃの裏面に後方に突出して設けられている。第１ハーネス保持部８０及び第２ハーネス保持部８１は、例えば、複数個の中継コネクタ３３の一部と主制御基板ケース２３のコネクタ４８とを接続すべく、主制御基板ケース２３の裏下辺側に左右方向に配置されたハーネス７９を保持するようになっている。
【００５８】
各ハーネス保持部８０，８１は、図６、図７、図９に示すように、各支持部８５ａ，８５ｃに固定された左右一対の突起８０ａ，８１ａと、この一対の突起８０ａ，８１ａ間で各支持部８５ａ，８５ｃに固定され且つ突起８０ａ，８１ａとの間で保持する保持爪８０ｂ，８１ｂと、を有する。保持爪８０ｂ，８１ｂは、ハーネス７９が外れ難くなるように、先端側から所定方向に屈曲している。
【００５９】
なお、第１支持部８５ａと第２支持部８５ｃでは、突起８０ａ，８１ａと保持爪８０ｂ，８１ｂとが上下逆向きに配置されているが、同じ向きでもよい。また第１ハーネス保持部８０の後端は、第２ケース体３７の主膨出部４９の裏面と略同程度であり、第２ハーネス保持部８１の後端は、第１ハーネス保持部８０よりも若干低くなっているが、共に主膨出部４９の裏面から後方に突出しない範囲でハーネス７９の保持に必要な高さにすればよい。
【００６０】
第１係合手段７７は、図５、図８〜図１０に示すように、ＩＣタグシール４０の幅方向の両側で保護リブ７３の先端側に設けられた第１対向壁７１側の係合部７７ａと、ＩＣタグシール４０の幅方向の両側に保護リブ７３よりも外側に突出して第１覆い部８３に設けられ且つ各係合部７７ａに係脱自在に係合する一対の係合突起７７ｂと、を有する。そして、係合突起７７ｂは、第２係合手段７８を支点として係合部７７ａに係合するときに、ＩＣタグシール４０の両側の保護リブ７３，７４に当接して係合部７７ａ側へと摺動しながら案内され、第１覆い部８３の先端側のＩＣタグシール４０に対する干渉を防止するようになっている。なお、保護リブ７３の内、一対の係合部７７ａ間に対応する中間部分７３ａは、他の部分よりも第１覆い部８３の板厚分だけ低くなっている。
【００６１】
第２係合手段７８は、図４、図５、図７、図１０に示すように、副膨出部７０の第２対向壁７２に凹入状に形成された被係合部７８ａと、ハーネス支持部８５に形成され且つ被係合部７８ａに裏側から係脱自在に係合する係合部７８ｂと、を備えている。係合部７８ｂは、爪状であり、第１ハーネス保持部８０の突起８０ａ間に配置されている。
【００６２】
主制御基板ケース装着部３０は、図３に示すように、集球ケース２１の背面側に設けられた装着用開口部８９と、その装着用開口部８９の上下両縁側に沿って配置された上下一対の装着レール９０と、主制御基板ケース２３の一端側を挿脱自在に挿入する挿入凹部９１と、挿入凹部９１に挿入された主制御基板ケース２３の他端側を着脱自在に固定する摘まみ式の固定具９２と、を備えている。
【００６３】
なお、他の中継コネクタ３３は、ハーネス（図示省略）を介して演出制御基板２４、画像制御基板２６に接続されている。また、主制御基板２２のコネクタ４６，４７は、ハーネス（図示省略）を介して演出制御基板２４、画像制御基板２６に接続されている。
【００６４】
上記構成のパチンコ機において、主制御基板２２を主制御基板ケース２３に収容する場合には、第２ケース体３７側に主制御基板２２を固定した後、第１ケース体３６と第２ケース体３７との嵌合周壁部５８，５３を互いに嵌合させ、両ケース体３６，３７をその長手方向に相対摺動させて側部係合手段５９、端部係合手段６０により閉状態に結合する。そして、１個の封止手段３５の封止ピンを押圧して封止し、また第１シール貼付部３８と第２シール貼付部３９とに跨がってＩＣタグシール４０を貼付する。
【００６５】
シール貼付部３８，３９にＩＣタグシール４０を貼付した場合には、その後、直ちに主制御基板ケース２３にタグカバー４１を装着して、このタグカバー４１によりＩＣタグシール４０を保護する。このようにしておけば、ＩＣタグシール４０が損傷し易いとは云え、取り扱い時にシール貼付部３８，３９のＩＣタグシール４０に誤って接触して損傷する等の問題を防止することができる。
【００６６】
タグカバー４１の装着に当たっては、タグカバー４１のハーネス支持部８５側が嵩張りの大きい立体構造になっており、反対側の第１覆い部８３、第２覆い部８４が弾性変形し易い構造になっているので、先ず、タグカバー４１を第２係合手段７８を介して第２対向壁７２に係合する。そして、次に、第２係合手段７８を支点として、第１覆い部８３と第２覆い部８４とを弾性変形させながら、その第１覆い部８３を第１係合手段７７により第１対向壁７１に係合する。このような順序で、タグカバー４１を主制御基板ケース２３に装着すれば、タグカバー４１を容易に主制御基板ケース２３に装着することができる。
【００６７】
すなわち、図１１（ａ）に示すように、第２係合手段７８の係合部７８ｂを第２対向壁７２の被係合部７８ａに係合し、第２係合手段７８側を基準に第２覆い部８４が副膨出部７０を覆うように、タグカバー４１を主制御基板ケース２３に下側から嵌合させて行く。すると、図１１（ｂ）に示すように、第１係合手段７７の一対の係合突起７７ｂがＩＣタグシール４０の両側の保護リブ７３に当接して、第１覆い部８３と第２覆い部８４とが反屈曲方向に弾性変形しながら、タグカバー４１の第１覆い部８３、第２覆い部８４が第１シール貼付部３８、第２シール貼付部３９のＩＣタグシール４０を覆うように接近する。
【００６８】
続いて、タグカバー４１を更に嵌合方向に押圧すれば、図１１（ｃ）に示すように、タグカバー４１の一対の係合突起７７ｂが保護リブ７３に案内されながら係合部７７ａ側へと案内されて行く。そして、係合突起７７ｂが保護リブ７３の端面を超えた後、図１０に示すように、第１覆い部８３、第２覆い部８４がＩＣタグシール４０を覆う状態で係合部７７ａに係合する。
【００６９】
このようにすれば、コ字状又はＵ字状のタグカバー４１の第１覆い部８３とハーネス支持部８５との間隔を無理なく拡げながらスムーズに主制御基板ケース２３にタグカバー４１を装着することができる。しかも、タグカバー４１の折損、又はシール貼付部３８，３９のＩＣタグシール４０の損傷等を未然に防止することができる。装着状態のタグカバー４１はその各覆い部８３，８４が保護リブ７３間に嵌合してＩＣタグシール４０に近接した状態にある。このため、タグカバー４１によりシール貼付部３８，３９のＩＣタグシール４０を確実に保護できるだけでなく、タグカバー４１が邪魔になったり、タグカバー４１に対して幅方向の外方から衝撃が加わってタグカバー４１が外れたりするおそれもない。
【００７０】
タグカバー４１を取り外す場合には、ハーネス支持部８５を裏側から把持するか、第１ハーネス保持部８０に指を掛けて離脱方向へと弾性変形させて第２係合手段７８の係合部７８ｂを被係合部７８ａから外す。なお、このとき、第１覆い部８３、第２覆い部８４側が弾性変形する。このように、第２係合手段７８側からタグカバー４１を取り外せば、第１係合手段７７側から取り外す場合に比較して容易に取り外すことができる。
【００７１】
封印後の主制御基板ケース２３は、集球ケース２１の背面側の主制御基板ケース装着部３０に装着する。この場合、主制御基板ケース２３は、集球ケース２１の装着用開口部８９の上下両縁側の装着レール９０に当接して、左右両側の挿入凹部９１と固定具９２とにより固定される。
【００７２】
図２に示すように、盤側ジョイント部３１に装着された複数個の中継コネクタ３３の内、その下側の２個の中継コネクタ３３に接続されたハーネス７９は、主制御基板ケース２３の下辺に沿って左右方向に配置されたハーネス保持部８０，８１を経て主制御基板２２の下辺のコネクタ４８に接続されている。なお、上側の２個の中継コネクタ３３に接続されたハーネスは、主制御基板ケース２３の左側方を経て演出制御基板２４、画像制御基板２６に接続されている。
【００７３】
各中継コネクタ３３に接続された各ハーネス７９等は、盤側コネクタ３２と中継コネクタ３３との間で集球ケース２１の側方近傍に配置されたハーネスカバー３４により覆われているので、盤側ジョイント部３１の近傍でのハーネス７９等の錯綜を防止できる。また、主制御基板ケース２３の下辺に沿って左右方向に配置されるハーネス７９は、ハーネス保持部８０，８１により各ハーネス支持部８５の裏面に沿って保持されているため、主制御基板ケース２３の下辺でのハーネス７９の錯綜も防止できる。
【００７４】
しかも、主制御基板ケース２３に比較して小さいタグカバー４１にハーネス支持部８５を備え、このハーネス支持部８５にハーネス保持部８０，８１を設けているので、主制御基板ケース２３側にハーネス保持部８０，８１を設ける場合に比較して全体の構造が簡単であり、容易且つ安価に製造することができる。
【００７５】
また、ハーネス保持部８０，８１はシール貼付部３８，３９のＩＣタグシール４０を覆うタグカバー４１に設けられているが、そのＩＣタグシール４０を覆う覆い部８３，８４から離れた位置のハーネス支持部８５に設けているため、ハーネス保持部８０，８１の突起８０ａ，８１ａ間にハーネス７９を通すときにも、誤ってＩＣタグシール４０を損傷するようなこともない。
【００７６】
また、タグカバー４１のハーネス支持部８５は、主制御基板ケース２３の副膨出部７０及びその左側の段部５２をその形状に沿って裏側から覆う立体形状となっている。しかも、ハーネス支持部８５の下から前側へと屈曲する板状の第２覆い部８４が保護リブ７４内に嵌合して、この保護リブ７４により左右方向の動きが規制されている。このため、ハーネス支持部８５又はハーネス保持部８０，８１に左右方向の外力が作用しても、タグカバー４１が動くことはなく、その安定性が向上する。
【００７７】
なお、図１２及び図１３のように、第１ケース体３６と第２ケース体３７との下辺側の周壁部５３ａ，５８ａにシール貼付部３８，３９と保護リブ７３，７４とが設けられており、その両シール貼付部３８，３９に跨がってＩＣタグシール４０が貼付されている構成でもよい。
【００７８】
タグカバー４１は、両シール貼付部３８，３９から第２ケース体３７の下辺側の裏面の副膨出部７０に跨がって側面視略Ｌ字状に設けられている。このタグカバー４１は、ＩＣタグシール４０を覆い且つ左右の保護リブ７３，７４間に嵌合する第１、第２覆い部８３，８４と、第２覆い部８４の後端から上側に屈曲し且つ副膨出部７０を左右及び裏側から覆うハーネス支持部８５と、を有している。また、ハーネス支持部８５の裏側に、ハーネス保持部８０が設けられている。なお、第１覆い部８３の前端側に、第１係合手段７７が設けられている。また、ハーネス支持部８５の上端に、第２係合手段７８が設けられている。
【００７９】
シール貼付部３８，３９を両ケース体３６，３７の周壁部５３ａ，５８ａに形成し、その両シール貼付部３８，３９に跨がってＩＣタグシール４０を貼付してもよい。また、タグカバー４１は、シール貼付部３８，３９の位置、ハーネス保持部８０が必要な位置等に応じて略Ｌ字状に構成するなど、他の要因に応じて適宜変更すればよい。
【００８０】
以上のように、本発明の実施形態について詳述したが、本発明はこれらの実施形態に限定されるものではなく、本発明の趣旨を逸脱しない範囲で種々の変更が可能である。例えば、基板ケースは、主制御基板２２を収容した主制御基板ケース２３を例示しているが、他の各種の回路基板を収容した基板ケースにおいても同様に実施可能である。また、基板ケース２３は、封止手段３５を備えたものでもよいし、封止手段３５がないものでもよい。封止手段３５を備えた基板ケース２３の場合、そのシール貼付部３８，３９、ＩＣタグシール４０との相対的な位置関係は、両者が干渉しない位置関係にあれば十分である。
【００８１】
封止手段３５は、タグカバー４１ごと基板ケース２３を封止してもよい。また基板ケース２３を封止する封止手段３５とは別に、タグカバー４１を基板ケース２３に封止する封止手段を設けてもよい。ただし、タグカバー４１ごと基板ケース２３を封止する封止手段３５を設ける場合、又は封止手段３５とは別にタグカバー４１を基板ケース２３に封止する封止手段を設ける場合には、ＩＣタグシール４０から外れた位置でタグカバー４１を封止するように構成することが望ましい。
【００８２】
ＩＣタグシール４０は、ＩＣチップ４２とアンテナ４３とを備えたものが一般的であるが、他の構成のものでもよい。タグカバー４１は、ＩＣタグシール４０を覆い且つハーネス保持部８０，８１を設け得るものであればよい。タグカバー４１は、長手方向の両端の第１係合手段７７と第２係合手段７８とにより基板ケース２３に着脱自在に装着しているが、長手方向の端部を第１ケース体３６又は第２ケース体３７に枢着して、その枢着部を支点に回動させて係脱するようにしてもよい。その場合、枢着部側も着脱自在であることが望ましい。
【００８３】
また、上記実施形態では、基板ケース２３の下辺に沿って配置されるハーネス７９をタグカバー４１のハーネス保持部８０，８１で保持するようにしているが、ハーネス７９は基板ケース２３の近傍を通るものであれば、その何れかの辺に沿って配置されたものである必要はない。また、ハーネス保持部８０，８１の構造も、ハーネス７９を保持して固定できるものであればよい。
【００８４】
ハーネス保持部８０，８１は、タグカバー４１のＩＣタグシール４０を覆う覆い部８３，８４から外れた部位に設けるのが望ましいが、覆い部８３，８４に対応してＩＣタグシール４０と反対側の面に設けてもよい。その場合、ハーネス保持部８０，８１を介して覆い部８３，８４をＩＣタグシール４０側へと押圧する外力が加わっても、覆い部８３，８４がＩＣタグシール４０と接触しないようにシール貼付部３８，３９側に受け部を設けておけばよい。
【００８５】
タグカバー４１の覆い部８３，８４は板状以外の形状でもよい。また、覆い部８３，８４は多数の孔又は開口を有する編み目状でもよい。ハーネス保持部８０，８１を備えたハーネス支持部８５は、基板ケース２３側の対応部分をその形状に沿って覆うことが望ましいが、そのハーネス支持部８５を枠状に構成し、それにハーネス保持部８０，８１を設けてもよい。
【００８６】
シール貼付部３８，３９の周囲に保護リブ７３，７４を設けるに当たっては、その保護リブ７３，７４は、ＩＣタグシール４０を両側から挟むように幅方向又は長手方向の両側にＩＣタグシール４０の略全長にわたって設けるだけでもよい。従って、必ずしもＩＣタグシール４０の全周を取り囲む必要はない。また、ＩＣタグシール４０の両側の保護リブ７３，７４間にタグカバー４１の覆い部８３，８４を嵌合させる場合、保護リブ７３，７４の後端と覆い部８３，８４の後端面とは略同一に揃えることが望ましいが、保護リブ７３，７４の方が高くてもよいし、多少保護リブ７３，７４の方が低くてもよい。
【００８７】
ここで、不正行為者が、主制御基板ケース２３の第１ケース体３６と第２ケース体３７との結合状態を解除して、主制御基板２２に対して不正行為を行う場合を想定する。なお、主制御基板２２に対する不正行為とは、主制御基板２２に搭載された正規の電子部品４５を偽造したものに差替えるなどの不正行為が想定される。
【００８８】
前記不正行為を行う場合には、タグカバー４１をうまく取り外し、ＩＣタグシール４０を剥がすことになる。ここで、ＩＣタグシール４０は、第１シール貼付部３８及び第２シール貼付部３９に強固に貼り付けられているため、ＩＣタグシール４０を直接剥がすという方法よりも、シール剥がし専用の薬剤を使用してＩＣタグシール４０を剥がす方法が採用される。シール剥がし専用の薬剤を使用してＩＣタグシール４０を剥がす方法であれば、ＩＣタグシール４０を破損させることなく、きれいに剥がすことができるからである。薬剤を使用すると、ＩＣタグシール４０を剥がすときに、ＩＣタグシール４０に加えるせん断応力が小さくて済む。
【００８９】
これに対して、図１４〜図２２に示すように、ＩＣタグシール４０に応力集中部１００を形成することにより、僅かな応力がＩＣタグシール４０に作用した場合でも、ＩＣタグシール４０が破断し易くなる工夫がされている。
【００９０】
具体的には、薬剤を使用してＩＣタグシール４０を剥がす場合に、ＩＣタグシール４０に対して僅かなせん断応力が作用することになるが、ＩＣタグシール４０の貫通孔１０１や凸凹部１０２に、せん断応力が集中する。このため、ＩＣタグシール４０の貫通孔１０１や凸凹部１０２で、せん断応力が他の部位と比較して局所的に大きくなる。これにより、ＩＣタグシール４０に対して僅かなせん断応力が作用した場合でも、ＩＣタグシール４０の貫通孔１０１や凸凹部１０２から粘着シート４４に亀裂が入り、ＩＣタグシール４０が破断し易くなる。この結果、ＩＣタグシール４０に不正行為の痕跡を確実に残すことができる。
【００９１】
また、ＩＣタグシール４０の貫通孔１０１や凸凹部１０２には、応力伝達部としての機能するミシン目部１０４が連続して形成されているため、貫通孔１０１や凸凹部１０２に集中したせん断応力が、ミシン目部１０４を介して、ＩＣタグシール４０の粘着シート４４の他の領域に伝達する。特に、複数のミシン目部１０４がＩＣタグシール４０の粘着シート４４の全領域にわたって形成されている場合には、ＩＣタグシール４０の粘着シート４４の全領域に大きなせん断応力が伝達されるため、ＩＣタグシール４０の粘着シート４４が内部から破断されていく。この結果、ＩＣタグシール４０を粉々に破断させることができ、不正行為の痕跡を確実に残すことができる。
【００９２】
さらに、上記実施形態では、本発明をパチンコ機に適用した場合を例示しているが、アレンジボール機、スロットマシン等の各種遊技機においても同様に実施可能であることは云うまでもない。
【００９３】
また、上記実施形態では、封印シールとして、小さいＩＣチップ４２と、読取機からの磁場を受けたときの電磁誘導作用による起電力をＩＣチップ４２に供給するアンテナ４３と、を粘着シート４４に埋め込んで構成されたＩＣタグシール４０を例示したが、これに限られるものではない。例えば、第１シール貼付部３８から第２シール貼付部３９に跨って貼り付けられる粘着シート型の封印シール（ＩＣチップやアンテナがないもの）でもよい。
【符号の説明】
【００９４】
３６      第１ケース体
３７      第２ケース体
２２      主制御基板（基板）
２３      主制御基板ケース（基板ケース）
３８      第１シール貼付部
３９      第２シール貼付部
４０      ＩＣタグシール（封印シール）
４２      ＩＣチップ
４３      アンテナ
４４      粘着シート
１００    応力集中部
１０１    貫通孔
１０２    凸凹部
１０３    応力伝達部
１０４    ミシン目部
【図１】
2012035051.tif 000003
【図２】
2012035051.tif 000004
【図３】
2012035051.tif 000005
【図４】
2012035051.tif 000006
【図５】
2012035051.tif 000007
【図６】
2012035051.tif 000008
【図７】
2012035051.tif 000009
【図８】
2012035051.tif 000010
【図９】
2012035051.tif 000011
【図１０】
2012035051.tif 000012
【図１１】
2012035051.tif 000013
【図１２】
2012035051.tif 000014
【図１３】
2012035051.tif 000015
【図１４】
2012035051.tif 000016
【図１５】
2012035051.tif 000017
【図１６】
2012035051.tif 000018
【図１７】
2012035051.tif 000019
【図１８】
2012035051.tif 000020
【図１９】
2012035051.tif 000021
【図２０】
2012035051.tif 000022
【図２１】
2012035051.tif 000023
【図２２】
2012035051.tif 000024